(57)【要約】【課題】衛生上に対して良好で利便性を有する飲料用スティック包装袋を提供すること。【解決手段】スティック包装袋１０の縦シール部１４に長手方向に沿って、ストロー２１を包装袋２２で包装したストロー体２０を貼着する。スティック包装袋１０の一方の横シール部１２には、一端側に切り口１５を形成する。切り口１５の延長線上には、充填部１１から一部延設する指状のストロー差込部１１１を配置する。内容物を賞味する際、ストロー差込部１１１を指で押えながら、切り口１５から開封する。そしてストロー２１をストロー差込部に挿入して内容物を吸引する。【選択図】図１
2006123945.tif 000002
【特許請求の範囲】
【請求項１】
内容物の充填部、長手方向の両端部に形成される横シール部、長手方向に沿って形成される縦シール部を備えるスティック包装袋に、ストローを包装したストロー体が装着されていることを特徴とするストロー付スティック包装袋。
【請求項２】
前記ストロー体は、前記スティック包装袋の長手方向に沿って貼着されていることを特徴とする請求項１記載のストロー付スティック包装袋。
【請求項３】
前記ストロー体は、前記縦シール部上に配置されていることを特徴とする請求項２記載のストロー付スティック包装袋。
【請求項４】
前記スティック包装袋には、前記充填部から一方の横シール部に向かって延設されたストロー差込部が配置されていることを特徴とする請求項１，２又は３記載のストロー付スティック包装袋。
【請求項５】
前記ストロー差込部は、一方の横シール部に形成された切り口の延長線上に形成されていることを特徴とする請求項４記載のストロー付スティック包装袋。
【発明の詳細な説明】
【技術分野】
【０００１】
本発明は、内容物を充填したスティック包装袋に関し、特に、内容物が液体であるストロー付スティック包装袋に関する。
【背景技術】
【０００２】
通常、スティック包装袋に充填する内容物は粉体の薬剤や食用品等が多く、この内容物は製袋包装充填機によって、包装袋を製袋しつつ一定量測定されて包装袋内に供給されている。内容物が充填されたスティック包装袋は、粉体の場合、切り口を開封して、直接、内容物を口に入れたり、あるいは、別の食品に振り掛けたりしている。しかし、液状の内容物が充填されている包装袋では、開封後に、直接、内容物を口に入れることは外にこぼしやすく、また包装袋の切り口付近を口に含みながら内容物を賞味することは、衛生上の点で問題を残すこととなっていた。
【０００３】
そのため、直接、包装袋を口に含まないで液状の内容物を賞味すること（例えば、ストローを使用すること）ができるスティック包装袋が望まれていた。
【０００４】
なお、ストロー付スティック包装袋に関する特許文献は発見されていない。
【発明の開示】
【発明が解決しようとする課題】
【０００５】
しかし、一般に、ストローは包装袋とは別に保管されていて、液体の内容物を充填している包装袋を使用する場合に、ストローがその場にないことが多い。従って、ストローを探すことで時間がかかったり、ストロー自体を購入したりしなければならず利便性を有していなかった。
【課題を解決するための手段】
【０００６】
本発明は、上述の課題を解決するものであり、スティック包装袋内の液体の内容物を容易に賞味できるストロー付スティック包装袋を提供することを目的とするものであり、そのために以下のように構成するものである。すなわち、
請求項１記載の発明では、内容物の充填部、長手方向の両端部に形成される横シール部、長手方向に沿って形成される縦シール部を備えるスティック包装袋に、ストローを包装したストロー体が装着されていることを特徴とするものである。
【０００７】
請求項２記載の発明では、前記ストロー体は、前記スティック包装袋の長手方向に沿って貼着されていることを特徴としている。
【０００８】
請求項３記載の発明では、前記ストロー体は、前記縦シール部上に配置されていることを特徴としている。
【０００９】
請求項４記載の発明では、前記スティック包装袋には、前記充填部から一方の横シール部に向かって延設されたストロー差込部が配置されていることを特徴としている。
【００１０】
請求項５記載の発明では、前記ストロー差込部は、一方の横シール部に形成された切り口の延長線上に形成されていることを特徴としている。
【発明の効果】
【００１１】
本発明に係るストロー付スティック包装袋では、請求項１記載の発明によれば、包装されたストローをスティック包装袋に装着していることから、スティック包装袋の一方の横シール部を切断して開封した後、ストローをスティック包装袋の充填部内に挿入して内容物を飲むことができる。従って、スティック包装袋の切断部付近を、直接、口に含んで内容物を飲むことがなく、またストロー自体も包装していることから、清潔であって衛生上良好とすることができる。また、ストローを探したり新たに購入したりすることがないことから、利便性を有することができる。
【００１２】
また、請求項２記載の発明によれば、ストローを収納するストロー体を、スティック包装袋の長手方向に沿って貼着していることから、ストローがスティック包装袋からはみ出してスペースを多くとることはなく、見た目にもスマートに構成される。
【００１３】
請求項３記載の発明によれば、ストロー体が縦シール部上に配置されていることから、ストロー体をスティック包装袋から剥離する際、無理やり剥離して、例えば縦シール部を破損させても、内容物が充填部から漏れる虞れがない。
【００１４】
請求項４記載の発明によれば、一方の横シール部側には、一部に充填部を延設することによって、開封後のストロー差込部として形成することができる。そのため、スティック包装袋から剥離したストローを、開封後、ストロー差込部から挿入して内容物を飲めば、内容物を容易に賞味することができる。
【００１５】
請求項５記載の発明によれば、スティック包装袋の一方の横シール部を切り口に沿って開封すると、切り口の延長線上に形成された充填部の一部を切断することとなる。切断された充填部の一部は、ストロー差込部として形成されることから、ストローを容易に差し込むことができる。また、ストロー差込部は、横シール部における切り口の延長線上に配置されていることから、指で押えることができ、切り口に沿って切断する際、ストロー差込部を予め指で押えておくことによって、内容物を外部に排出させないで開封することができる。
【発明を実施するための最良の形態】
【００１６】
次に、本発明のストロー付スティック包装袋の一形態を図面に基づいて説明する。実施形態のストロー付スティック包装袋には、飲料用の液状の内容物が充填されている。
【００１７】
図１は、ストロー体２０をスティック包装袋１０に装着したストロー付スティック包装袋１を示すものであり、スティック包装袋１０は、縦方向が長尺状に形成されて内容物が充填された充填部１１と、縦方向の両端部で熱シールして形成された横シール部１２、１３と、スティック包装袋１の長手方向中央部に沿って横シール部１２、１３を結ぶように形成された縦シール部１４とを備えて構成されている。
【００１８】
一方の横シール部１２は、他方の横シール部１３よりスティック包装袋１０の縦方向に沿って長く形成され、一方の側に切り口１５が形成されている。また、充填部１１の横シール部１２側においては、切り口１５の延長線上に、充填部１１の一部が横シール部１２に食い込むように延設されて、ストロー差込部１１１を形成している。ストロー差込部１１１は、指で押えることができる程度の大きさに形成され、指で押えた状態で切り口１１１に沿って開封する際、液状の内容物が外部に漏れないようにしている。
【００１９】
スティック包装袋１０の縦シール部１４には、ストロー体２０が貼着されている。ストロー体２０は、ストロー２１を包装袋２２に収納して形成され、スティック包装袋１０の縦シール部１４の縦方向に沿って配置されている。ストロー体２０は、手で剥がすことによって容易に剥離できる程度に貼着されている。ストロー２１は、伸縮可能に構成された一般的なものでよく、包装袋２２に収納されている状態では最短の長さに縮小されている。
【００２０】
ストロー２１を収納している包装袋２２は、軟らかい樹脂材あるいは紙等で形成され、収納されているストロー２１の取出しを容易にしている。
【００２１】
このようにストロー付スティック包装袋１は、内容物を充填して形成されたスティック包装袋１０に、別に配置されているストロー体２０を１個ずつ貼着することによって形成される。これは、ストロー体２０を順次供給して貼着する工程を含む図示しない製袋包装充填機によって製造されることとなる。
【００２２】
次に、上述のように形成されたストロー付スティック包装袋１の作用について説明する。
【００２３】
スティック包装袋１０から、ストロー体２０を手で取り外しておく。充填部１１から突出して形成されたストロー差込部１１１を一方の手で押えながら、他方の手でスティック包装袋１の切り口１５を、切り口線に沿って切断する。そして、ストロー差込部１１１を上方にしてスティック包装袋１０を縦方向にした状態にする。
【００２４】
次に、充填部１１のストロー差込部１１１に、包装袋２２から取り外したストロー２１をストロー差込部１１１から充填部１１の奥まで差し込む。そしてストロー２１を介して飲み込むことによって液状の内容物を賞味することができる。
【００２５】
上述のように、実施形態のストロー付スティック包装袋１は、ストロー体２０を縦シール部１４に沿って装着していることから、内容物を賞味する際、ストロー２１を即座に取り外すことができ、利便性を有して容易に使用することができる。そして、切り口１５に沿って開封した後、ストロー差込部１１１からストロー２１を差し込んで賞味するとともに、ストロー２１自体も包装体２２で包装していることから、清潔にすることができ衛生上に対して良好となる。
【００２６】
しかも、ストロー体２０を、長手方向の縦シール部１４に沿って装着していることから、大幅なスペースをとらずに装着でき、しかもスマートに装着して見栄えもよい。
【００２７】
なお、本発明のストロー付スティック包装袋は、上記の形態に限定するものではない。例えば、包装袋内に収納されたストローを、縦方向に沿って斜めに装着してもよく、また、スティック包装袋１０の長手方向に沿う端部、あるいは、縦シール部１４が形成されている面と反対側の面に装着してもよい。さらに、スティック包装袋の横方向（長手方向に対して直交する方向）に装着することもできる。
【図面の簡単な説明】
【００２８】
【図１】本発明の一形態におけるストロー付スティック包装袋を示す斜視図である。
【図２】同スティック包装袋とストロー体の分解斜視図である。
【符号の説明】
【００２９】
１、ストロー付スティック包装袋
１０、スティック包装袋
１１、充填部
１１１、ストロー差込部
１２、横シール部
１３、横シール部
１４、縦シール部
１５、切り口
２０、ストロー体
２１、ストロー
２２、包装袋
【図１】
2006123945.tif 000003
【図２】
2006123945.tif 000004